(57)【要約】      （修正有）【課題】用水ゴミが用水管を通り用地・水田へ流れ込み、また用水管に詰まるなどによる、高度な労力・浪費・埋設管の掘り起し工事をしてきたことを解消する用水ゴミ受け器具を提供する。【解決手段】第一の金属板に多数の穴をあけた金網又は、金属棒を縦１・横２に任意の間隔で複数本からめた金網であって、この金網をコの字状に折り曲げて構成した用水ゴミ受け器具であって、コの字状に構成された金網の縦長の両端に、中空洞の金属のパイプ４を縦長に溶接・接着し、中空金属パイプ４のパイプより小さい金属棒５を差し込み、かつ金属棒５の上端を任意の長さでコの字状６、７に折り曲げた。【選択図】図１
0003225560.tif 000002
【実用新案登録請求の範囲】
【請求項１】
金属板に多数の穴をあけた金網又は、
金属棒を縦１・横２にからめた金網をＬ型３、又は丸型３に折り曲げてゴミを進入させない器具である。
【請求項２】
前記金網の両端に、金属のパイプ４を縦長に溶接・接着し、金属パイプの中に金属棒５を差し込み、金属棒５の上端をＬ型６，７に２回折り曲げ下側８にまげる。
【請求項３】
前記金網の縦長の下の部分に重い金属板９を溶接・接着し、金属板９の中央に丸い穴１０をあける。
【考案の詳細な説明】
【技術分野】
【０００１】水路に流れる水に関わる用水管・配水管のゴミ受けに関する器具
【背景技術】
【０００２】用水溝１１の上流より、流れ出てきたゴミ（草・木屑・ビニール・ジュース缶・ビン）などの用水ゴミが、用水管・配水管１２の中へ進入し、用地・水田の中に散乱し作物に被害が出ていた。【０００３】用水のゴミが、用水管・配水管１２につまり水が通水しなくなり、道路下や地中埋設された用水管・配水管１２を、掘り起こすため大工事になることも少なくない。
【先行技術文献】
【特許文献】
【０００４】
【特許文献１】
【特許文献２】
【非特許文献】
【０００５】
【非特許文献１】
【非特許文献２】
【考案の概要】
【考案が解決しようとする課題】
【０００６】上記ゴミの進入や、詰まりを解決するため高度な労力や浪費と、大変な大工事をやってきたが、このゴミ受け器は用水管・配水管入口１４で、ゴミを進入させないため、前記の問題が発生しなくなる。
【課題を解決するための手段】
【０００７】用水管・配水管１２のゴミの詰まりや進入の解決方法として、用水管・配水管の入口１４に、このゴミ受け器を固定し水だけを入水できる器具を取り付け、きれいな水だけを利用できること。
【考案の効果】
【０００８】用水管・配水管の水の入口１４に、ゴミ受け器を取り付けることにより、ゴミはそのまま用水溝下流１５に流れていき、用水管・配水管の水入口１４からは、きれいな水だけが進入し、ゴミが用水管・配水管の中１２に詰まることなく用地・水田の中にはきれいな水だけがはいり作物にも影響なく被害も発生しなくなる。【０００９】用水管・配水管の中１２にゴミが詰まらなくなり、道路下部や埋設管の掘り起こし工事もなくなる。
【図面の簡単な説明】
【００１０】
【図１】第１図は、本考案の立体的な図  図の５はスライドする部分、８は地中に埋め込む部分、１・２はゴミ受けの部分、９は固定するための重り、１０は固定するための穴
【図２】図の１３は入水を容易にするための隙間
【図３】用水溝に固定した図  中の丸１４の部分は用水管の水の入口
【考案を実施するための形態】
【００１１】網状のゴミ受け器を固定するため、２本の２回曲げ６，７した棒の下方向に向いた先端８を、土中やコンクリート中に差し込み網部を上下にスライドさせることにより、高さ調整ができる。
【００１２】網部をＬ型３に曲げたことで用水管・配水管入口１４に、隙間１３を作り水の浸入を容易にする。
【００１３】網部の下に重いもの９をつけることで、水の流れで動くのを防ぎ固定できる。
【００１４】用水講下部１６に凸部を作り、器具の底部に開けた穴１０を差し込むことで器具を固定できる。
【実施例】
【００１５】本考案の器具を用水溝１１の用水管水入口１４に取付けたところ用水溝１１上流より流れてきたゴミは、用水管入口１４に引っかかることなくそのまま下流へ流れ水は網をくぐり、用水管入口１４へ進入し、用地・水田へときれいな水だけが入り以前の問題が解消できた。
【産業上の利用可能性】
【００１６】用地・水田に入るゴミ、又は用水管１２に詰まるゴミをなくすために、今までに行ってきた用地・水田内のゴミ拾いや、用水管の堀りお越し切断作業がすべて解消できるこの器具は、絶対に欠かすことのできないものであり、かならず必要であるものと確信できる。
【符号の説明】
【００１７】    １・２・・たて棒・よこ棒をからめた金網  １０・・固定穴  １１・・用水溝
３・・金網をＬ型にまげた隙間取り    １２・・用水管
４・・スライドさせる為のパイプ      １３・・入水口との隙間
５・・スライドの金属棒              １４・・用水管の入水口
６・７・８・・地中固定のための屈折棒        １５・・用水溝下流
９・・固定重り                      １６・・用水溝底部
【図１】
0003225560.tif 000003
【図２】
0003225560.tif 000004
【図３】
0003225560.tif 000005
【手続補正書】
【提出日】令和1年10月7日(2019.10.7)
【手続補正１】
【補正対象書類名】実用新案登録請求の範囲
【補正対象項目名】全文
【補正方法】変更
【補正の内容】
【実用新案登録請求の範囲】
【請求項１】
第一の金属板に多数の穴をあけた金網又は、
金属棒を縦１・横２に任意の間隔で複数本からめた金網であって、この金網をコの字状に折り曲げて構成したことを特徴とし、ゴミを進入させない用水ゴミ受け器具である。
【請求項２】
請求項１のコの字状に構成された金網の縦長の両端に、中空洞の金属のパイプ４を縦長に溶接・接着し、前記の中空金属パイプ４のパイプより小さい金属棒５を差し込み、かつ金属棒５の上端を任意の長さでコの字状６，７に折り曲げたことを特徴とする
請求項１記載の用水ゴミ受け器具である。
【請求項３】
請求項１・２の金網において、コの字を構成する縦長の片方の下の面全体に、第二の重い金属板９を溶接、接着し、かつ第二の金属板９のほぼ中心部分に円型もしくは角型にくりぬいた穴１０をあけたことを特徴とする
請求項１・２の記載の用水ゴミ受け器具である。
【手続補正書】
【提出日】令和1年12月22日(2019.12.22)
【手続補正１】
【補正対象書類名】実用新案登録請求の範囲
【補正対象項目名】全文
【補正方法】変更
【補正の内容】
【実用新案登録請求の範囲】
【請求項１】
第一の金属板に多数の穴をあけた金網又は、金属棒を縦１・横２に任意の間隔で複数本からめた金網であって、この金網をコの字状に折り曲げて構成したことを特徴とする用水ゴミ受け器具。
【請求項２】
コの字状に構成された前記金網の縦長の両端に、中空洞の金属のパイプ４を縦長に溶接・接着し、前記の中空金属パイプ４のパイプより小さい金属棒５を差し込み、かつ金属棒５の上端を任意の長さでコの字状６，７に折り曲げたことを特徴とする
請求項１記載の用水ゴミ受け器具。
【請求項３】
前記金網において、コの字を構成する縦長の片方の下の面全体に、第二の重い金属板９を溶接、接着し、かつ第二の金属板９のほぼ中心部分に円型もしくは角型にくりぬいた穴１０をあけたことを特徴とする
請求項１又は請求項２の記載の用水ゴミ受け器具。